(57)【要約】【課題】本発明は、色収差を補正する為に回折格子を用いたとき、格子部の非回折面から生ずるフレアーの影響が少なくし、高画質の画像が得られる光学系を得ること。【解決手段】絞りと、光軸に対して回転対称形状のブレーズ型の回折格子を面の一部に設けた光学素子とを有する光学系であって、該光学素子は光軸方向から見て外周領域に回折格子を設けた回折領域と、その内側の光軸を含む領域を屈折面とした屈折領域とを有し、光軸から該屈折領域の最外周部までの距離をＲＢ、光軸から該回折領域の最外周部までの距離をＲＡ、とするとき、０．１＜ＲＢ／ＲＡ＜０．７の条件式を満足することを特徴とする光学系。【選択図】        図１
2005062224.tif 000002
【特許請求の範囲】
【請求項１】
絞りと、光軸に対して回転対称形状のブレーズ型の回折格子を面の一部に設けた光学素子とを有する光学系であって、該光学素子は光軸方向から見て外周領域に回折格子を設けた回折領域と、その内側の光軸を含む領域を屈折面とした屈折領域とを有し、光軸から該屈折領域の最外周部までの距離をＲＢ、光軸から該回折領域の最外周部までの距離をＲＡ、とするとき、
０．１＜ＲＢ／ＲＡ＜０．７
の条件式を満足することを特徴とする光学系。
【請求項２】
前記光学素子は前記絞りに対向して配置されており、
０．３＜ＲＢ／ＲＡ＜０．６
の条件式を満足することを特徴とする請求項１の光学系。
【請求項３】
前記屈折領域を通過する光束のＦナンバーをＦｎｏＢとするとき、
８．０＜ＦｎｏＢ＜３２
の条件式を満足することを特徴とする請求項１又は２の光学系。
【請求項４】
前記回折格子は、積層型の回折格子であることを特徴とする請求項１、２又は３の光学系。
【請求項５】
前記回折格子は前記絞りより像側に配置されていることを特徴とする請求項１、２、３又は４の光学系
【請求項６】
請求項１から５のいずれか１項の光学系と該光学系によって形成された像を受光する団体撮像素子と、
を有していることを特徴とする光学機器。
【請求項７】
絞りと、光軸に対して回転対称形状のブレーズ型の回折格子を面の一部に設けた光学素子とを有する光学機器であって、該光学素子は光軸方向から見て外周領域に回折格子を設けた回折領域と、その内側の光軸を含む領域を屈折面とした屈折領域とを有し、該回折領域と屈折領域は、最大像高に入射する光束のうち該絞りの絞り中心を通る主光線が該屈折領域を通過するように設定されていることを特徴とする光学機器。
【請求項８】
最大像高の７割の像高に入射する光束のうち前記絞りの絞り中心を通る主光線が前記屈折領域を通過することを特徴とする請求項７の光学機器。
【発明の詳細な説明】
【０００１】
【発明の属する技術分野】
本発明は、デジタルカメラ、ビデオカメラ、フィルム用カメラ、観察装置等の光学機器に好適な光学系に関し、特に回折格子を含む光学素子と屈折素子を組み合わせて色消しを行うとき、回折格子からのフレアの発生を押さえ、良好な画質を得られる光学系に関するものである。
【０００２】
【従来の技術】
従来より、光学系の諸収差の補正方法のうち色収差の補正方法については互いに分散の異なる硝材より成るレンズ同士を組み合わせて補正する方法の他に、レンズの屈折面又は平板上にブレーズド型の回折格子を設ける方法が知られている（例えば特許文献１、２）。
【０００３】
ブレーズ型の回折格子は、入射光に対して設計次数の設計波長においては高い回折効率を得ることができる。しかしながら、回折格子に光が入射すると設計波長及び設計次数以外の光、所謂寄生回折光も発生し、それが像面に達するとフレアとなって画質を劣化させることがあった。
【０００４】
更に、回折格子を構成する格子部の回折作用をしない非回折面に光が入射すると、そこからフレアー光が生じ画質を低下させることがある。
【０００５】
次に非回折面に光が入射したときに生ずるフレアー光について説明する。
【０００６】
図２はレンズ２の一方の面に回折格子１を設けた光学素子Ｄの要部断面図である。
【０００７】
図２において０は光軸（中心軸）、１ａは回折格子１を構成する格子部である。１ｂは回折作用をしない非回折面であり、格子部１ａの段差部、つまり、格子部１ａの山（谷）から、それと隣り合う格子部１ａの谷（山）までの部分を形成する円柱面の一部あるいは円錐面の一部である。
【０００８】
非回折面１ｂに光束Ｐが入射すると、その部分が２次的な光源となって光が散乱し、その光は、格子部１ａの輪帯数と格子部１ａの深さに比例して増加する。このときの光が画面に入射するとフレア光となり、画質を低下させる。
【０００９】
回折格子として複数の回折格子を密着、あるいは、僅かな空気間隔を隔てて隣接させ、各回折格子の材質と格子の深さ等を適切に設定することにより、寄生回折光によるフレア成分の低減を図った所謂積層型の回折格子が知られている（例えば特許文献３）。
【特許文献１】
特開平９−１９７２７４号公報
【特許文献２】
特開平９−２１１３２９号公報
【特許文献３】
特開２０００−２９２６１２号公報
【００１０】
【発明が解決しようとする課題】
積層型の回折格子は寄生回折光によるフレアー成分を低減させることができるが、非回折面で発生するフレアー成分を低減させることができない。
【００１１】
非回折面から生ずるフレア光は、太陽光などの高輝度光源からの光が直接回折格子に照射される逆光シーン等では、光源が画面外にあったとしても強いフレアとなる傾向がある。このフレアーは、撮影レンズの場合、レンズフード等の遮光部材を用いても抑えるこが難しい。さらに、屈折レンズのみからなる撮影レンズでは逆光時のフレアは可変絞りを絞ることで軽減、除去できるが回折格子を含む光学系では、寄生回折光によるフレアは絞りを絞っても軽減されず、夜景シーンなどの撮影においては不具合となることが多い。
【００１２】
本発明は、色収差を補正する為に回折格子を用いたとき、格子部の非回折面から生ずるフレアーの影響が少なくし、高画質の画像が得られる光学系の提供を目的とする。
【００１３】
【課題を解決するための手段】
請求項１の発明の光学系は絞りと、光軸に対して回転対称形状のブレーズ型の回折格子を面の一部に設けた光学素子とを有する光学系であって、該光学素子は光軸方向から見て外周領域に回折格子を設けた回折領域と、その内側の光軸を含む領域を屈折面とした屈折領域とを有し、光軸から該屈折領域の最外周部までの距離をＲＢ、光軸から該回折領域の最外周部までの距離をＲＡ、とするとき、
０．１＜ＲＢ／ＲＡ＜０．７
の条件式を満足することを特徴としている。
【００１４】
請求項２の発明は、請求項１の発明において前記光学素子は前記絞りに対向して配置されており、
０．３＜ＲＢ／ＲＡ＜０．６
の条件式を満足することを特徴としている。
【００１５】
請求項３の発明は、請求項１又は２の発明において前記屈折領域を通過する光束のＦナンバーをＦｎｏＢとするとき、
８．０＜ＦｎｏＢ＜３２
の条件式を満足することを特徴としている。
【００１６】
請求項４の発明は、請求項１、２又は３の発明において前記回折格子は、積層型の回折格子であることを特徴としている。
【００１７】
請求項５の発明は、請求項１、２、３又は４の発明において前記回折格子は前記絞りより像側に配置されていることを特徴としている。
【００１８】
請求項６の発明の光学機器は請求項１から５のいずれか１項の光学系と該光学系によって形成された像を受光する団体撮像素子と、
を有していることを特徴としている。
【００１９】
請求項７の発明の光学機器は絞りと、光軸に対して回転対称形状のブレーズ型の回折格子を面の一部に設けた光学素子とを有する光学機器であって、該光学素子は光軸方向から見て外周領域に回折格子を設けた回折領域と、その内側の光軸を含む領域を屈折面とした屈折領域とを有し、該回折領域と屈折領域は、最大像高に入射する光束のうち該絞りの絞り中心を通る主光線が該屈折領域を通過するように設定されていることを特徴としている。
【００２０】
請求項８の発明は、請求項７の発明において最大像高の７割の像高に入射する光束のうち前記絞りの絞り中心を通る主光線が前記屈折領域を通過することを特徴としている。
【００２１】
【発明の実施の形態】
図１は本発明の光学素子の実施形態１の要部斜視図、
図２は図１の回折格子の格子部の非回折面で発生するフレアーの説明図、
図３は本発明の光学素子を備えた光学系の実施形態１の要部断面図である。
【００２２】
図１において、Ｄは光学素子であり、基板（平面又は球面若しくは非球面等の曲面）の周囲に回転対称、形状のブレーズド型の回折格子を設けた回折領域Ａと、中心部分（光軸を含む領域）を屈折部（レンズ面又は平面又は非球面）とした屈折領域Ｂとを有している。
【００２３】
図２において、Ｄは光学素子であり、基板がレンズ２の一方の曲面上の外周領域に回折格子１を設けている。
【００２４】
１ａは回折格子１を構成する回折部である、回折格子１は、回転軸（光学系に適用したときは光軸となる）０を中心とする同心形状のブレーズ型の格子部１ａを所定のピッチで配列した構成より成っている。
【００２５】
１ｂは回折部１ａの回折作用をしない非回折面である、Ｐは回折格子１に入射する光束のうち非回折面１ｂに入射する光束、Ｑは光束Ｐが非回折面１ｂに入射したとき、そこから発生する有審光となるフレアーである。
【００２６】
本実施形態における回折格子１は１つの回折格子より成る単層回折格子又は複数の回折格子を積層した積層型回折格子より成っている。
【００２７】
図３において、０Ｌはデジタルカメラ、ビデオカメラ、フィルム用カメラ等に用いる撮影系（光学系）である。
【００２８】
ＳＰは開口径が可変の絞り（可変絞り）である。Ｄは絞りＳＰに近接して（対向して）配置した図１に示す構成の光学素子である。ＩＰは像面であり、撮像素子（ＣＣＤ）やフィルム等が配置される。
【００２９】
非回折面１ｂは、格子部１ａの段差部、つまり、格子部１ａの山（谷）から、それと隣り合う格子部１ａの谷（山）までの部分を形成する円柱面の一部あるいは円錐面の一部である部分より成り、主に製造上の理由から形成される。
【００３０】
非回折面１ｂに光束Ｐが入射すると、非回折面１ｂが２次的な光源となってそこから光が散乱し、格子部１ａの輪帯数と格子部１ａの深さに比例したフレアーが発生する。
【００３１】
そこで本実施形態では、このような光学素子Ｄを可変絞りを有する撮影系や観察系等の光学系に適用する場合、光軸０から屈折領域Ｂの撮外周部までの距離（屈折領域Ｂが円のときは半径、多角形のときは最外周部めでの最長距離）をＲＢ、光軸０から回折領域Ａの最外周部までの距離（回折領域Ａが円のときは半径、多角形のときは有効最外周部までの最長距離）をＲＡとするとき、
０．１＜ＲＢ／ＲＡ＜０．７・・・・（１）
の条件式を満足するようにしている。
【００３２】
又、光学素子Ｄを絞りＳＰに対向して、近接配置するときは、前述の条件式（１）の数値範囲を
０．３＜ＲＢ／ＲＡ＜０．６・・・・（２）
を満足するようにしている。
【００３３】
又光学系を撮影系として用いる場合であって無限遠物体に合焦させたときに屈折領域Ｂを通過する光束のＦナンバーをＦｎｏＢとするとき、
０．８＜ＦｎｏＢ＜３２・・・・（３）
の条件式を満足するようにしている。
【００３４】
条件式（１）を満足するように、光学素子Ｄの周囲に回折領域Ａを設け、又光軸側に屈折領域Ｂを配置することで、絞り開放時は、光軸０から高い位置に入射する光束に対して輪帯部に配置された回折領域Ａにより収差補正を行っている。そして、絞りを絞ったとき（Ｆナンバーを暗くしたとき）は中心部に配置された屈折領域Ｂに多くの光束が通過し、回折格子に光束が入射しないようにして回折格子からフレアが発生しないようにしている。
【００３５】
一般的に、諸収差は光軸から離れるほど大きくなるため、レンズの周辺輪帯部での回折格子による収差補正は効果が大きい。また、面積的にも周辺輪帯部分は光束の主要な部分を占めるので、周辺輪帯部分に回折格子を配置することは効果である。
【００３６】
一方、光軸０付近の領域（屈折領域Ｂ）では、発生する収差の量も少なく、回折格子による補正の効果も少ない。又絞り開放時の全光束に占める割合も少なく、また光束の開口が狭いために、焦点深度が深くなり収差の影響を受ける割合が小さい。そのため、光軸０付近に回折格子を設けないでも、開放時の収差に及ぼす影響は小さい。
【００３７】
そこで絞りＳＰを絞ったときは、中心部（屈折領域Ｂ）の屈折光学面を大部分の光束が通過することで、回折格子１からの寄生回折光の発生を少なくし、又ブレーズ（格子部）１ａの段の部分などの回折面以外（非回折面）に入射する光束を少なくしてフレアの発生を少なくしている。
【００３８】
本実施形態では、この構成をとることで、絞り開放時はある程度のフレアの発生を許容し、絞りＳＰを絞ったときはフレアが軽減されるようにしている。これは、一般的な光学系で、絞り開放時には残存フレアが残り、絞りを１，２段絞ることでフレアが除去されコントラストが上がる光学作用と、操作的に同じ効果が得られ従来の光学系との操作感の整合性も高いと言う効果がある。
【００３９】
条件式▲１▼は光学素子１１の、その内側に配置した屈折面からなる屈折領域Ｂの半径（光軸０からの距離）と回折領域Ａの光線有効半径の比を規定するものである。
【００４０】
条件式▲１▼の下限値を超えると、すなわち、光学素子１１の、その内側に配置した屈折面からなる屈折領域Ｂの半径（光軸からの距離）ＲＢが回折格子を有する回折領域Ａの光線有効半径ＲＡと比較して小さくなると、絞りＳＰを絞っても光束が回折格子１の一部を通過することになり寄生回折光の除去や、フレアの軽減の効果が少なくなる。一方、条件式▲１▼の上限値を越えると、すなわち、光学素子１１の、その内側に配置した屈折面からなる屈折領域Ｂの半径（光軸からの距離）ＲＢが回折格子を有する回折領域Ａの光線有効半径ＲＡと比較して大きくなると絞りＳＰを絞った時のフレア除去の効果は大きくなるが、回折格子としての効果が十分得られなくなる。回折格子１を設ける領域を、光学素子１１の有効径の約７割に上限を設けることで、絞りＳＰで１段絞った時の有効径に相当する回折格子を設ける回折領域Ａの径を上限としている。
【００４１】
一方絞りＳＰを光学素子１１の近傍に配置すること（対向配置すること）で、中心像高から、周辺像高までの各画角で光線の通過高さがほぼ同じとなり、絞りＳＰを絞った時の回折格子面での有効径が小さくなる。絞りの径を変化させたときの回折領域Ａによる収差補正と、屈折領域Ｂでのフレア軽減の効果の切り分けが、はっきりする。この際は、絞りＳＰの絞り値を開放から２段〜４段絞ったくらいで効果がでることが最適である。中心光束に関してのみ考えれば、そのときの条件式（２）の比ＲＢ／ＲＡの値は０．２５〜０．５となるが、絞りＳＰと回折格子の若干の距離を考慮して、条件範囲を０．３〜０．６と取っている。
【００４２】
条件式（３）は、回折領域Ａと、屈折領域Ｂの半径の比を特定するとともに屈折領域Ｂの有効径をＦナンバーＦｎｏＢとしての絶対値で定義したものである。フレアを除去して、コントラストをあげるときの光学系の絞り値は上記条件式（３）の範囲くらいが一般的である。絞りＳＰを絞るにしたがってフレアの影響が減りコントラストは上がっていくが、Ｆナンバーが大きくなると、回折の影響で解像力が低下してくる。また、撮像手段や感材の感度が、この程度のＦナンバーでの撮影が一般的である。条件式（３）は絞りＳＰの径を小絞りとする撮影条件下で、寄生回折光や、ブレーズの光学面以外の側面（非回折面）などでの拡散光によるフレアを発生させないための適切なＦナンバーである。
【００４３】
本実施形態では、光学素子Ｄを絞りを有する撮影系や観察系に設けるとき、最大像高に入射する光束のうち、絞りＳＰの中心を通過する主光線が屈折領域Ｂを通過するように、回折領域Ａと屈折領域Ｂとの領域を特定している。
【００４４】
更に好ましくは、最大像高に対して７割の像高に入射する光束のうち、絞りＳＰの中心を通過する主光線が屈折領域Ｂを通過するように、回折領域Ａと屈折領域Ｂとの領域を特定している。
【００４５】
この構成は光学系の中に光学素子を可変絞りから離れたところに配置する為の条件の１つであり、周辺輪帯部の回折領域Ａと光軸付近の屈折領域Ｂの割合を適切に決定する為の条件である。
【００４６】
この条件は、絞りを最小絞りにしたときに、画面全体の光線が光学素子の回折格子を通らずに結像することになる。この場合、絞り値と、像高の位置によって回折領域Ａを通る光線と、屈折領域Ｂを通る光線の比率は異なってくる。可変絞りを開放から順に絞っていくと、中心像高に入射する光束が先に全て屈折領域Ｂを通過することになり、周辺に入射する光束は、一部の光束が回折領域Ａを通る状態がつづく。その後、絞りを最小絞りまで絞っていくと、全像高に入射する全光束が回折領域Ａを通らずに、屈折領域Ｂのみを通る。この結果、寄生回折光や、ブレーズの光学面以外の側面（非回折面）などでの拡散光によるフレアを発生を防いでいる。理想的には、全光束が一度に切り替わることが最適であるが、写真画像においては、主被写体は中心部分に多く配置されるので、実質上問題ない。
【００４７】
更に好ましくは、全画面の最大像高の７割までの位置に入射する全光束が絞りを最小に絞ったとき屈折領域Ｂを通るようにしている。最大像高の７割までの像高での領域が全画面の約８割以上をしめることになる。従って主要被写体のほとんどは、この部分にあり、背景に関しても、その被写体の周辺付近となるために、フレアの影響と回折格子としての補正の寄与量のバランスを考えてこのように設定するのが最適である。
【００４８】
本実施形態における回折格子は単層の他、複数の回折格子を積層した積層型回折格子を用いると特に有効である。積層型回折格子では、複数のブレーズを持つために、光学面でない側面（非回折面）の割合が多くなる。回折効率は単層の回折格子に比べて向上してているが、光学面でない側面（非回折面）による拡散光の割合が多くなってしまっている。そこで、前述の如く光学素子を設定すれば寄生回折光や、ブレーズの光学面以外の側面などでの拡散光によるフレアを発生を効果的に防ぐことができる。
【００４９】
光学素子Ｄを配置する位置は、絞りＳＰに対して物体側でも像側でも良いが、フレアー光の発生を少なくするには像側の方が良い。
【００５０】
光学素子を光学系に配置するとき、回折格子が可変絞りより物体側に有ると、撮影画角以外の光束や、可変絞りを絞ったときの、撮影光束以外の光束が入った光回折格子に入射しブレーズの光学面以外の側面（非回折面）などでに当たって拡散する。この時の拡散光は光学素子が面光源になったのと同じ役目をし、特に小絞り時においては、フレアスポットなどとして、現れることがある。フレアスポットは絞りより像側の光学面の組み見合わせで発生するが、ズームレンズや、リアフォーカスレンズでは、レンズ間隔の位置によっては、どこかで発生してしまう可能性がある。そのため、各実施形態では光学素子による面光源を強力減らす為に光学素子を絞りよりも像側に配置するのが良い。
【００５１】
図３に示す光学系は３５ｍｍフィルム種等（以下全て同じ）で５０ｍｍ／Ｆ１．４に相当の撮影系である。図中の物体側から見て絞りＳＰの直後に光学素子Ｄを配置している。図４は図３において可変絞りＳＰを絞り値Ｆ８．０まで絞った時の光路図である。光学素子Ｄを絞りＳＰ近傍に配置して、絞り値Ｆ８．０の光束が全て、屈折領域Ｂを通過するようにしている。
【００５２】
本実施形態では、以上のようにブレーズ型回折格子を含む光学素子Ｄの構成を特定するとともに光学素子Ｄを光学系ＯＬ中に配置することによって、収差補正を良好に行っている。
【００５３】
又設計波長以外の回折光及び設計次数以外の次数の回折光（寄生回折光）を絞りＳＰを絞ることで有効画面内に入射するのを防止し、光学性能の低下を軽減している。
【００５４】
図５は、本発明の光学素子を有する光学系の実施形態２の要部断面図である。
【００５５】
図５に示す光学系は、７５−３００ｍｍ相当のズームレンズである。同図（Ａ）、（Ｂ）、（Ｃ）は広角端、ミドル、望遠端のズーム位置である。実施形態２のズームレンズは、物体側より順に、正のパワーを持つ第１レンズ群Ｌ１、負のパワーを持つ第２レンズ群Ｌ２、正のパワーを持つ第３，４レンズ群Ｌ３，Ｌ４、負のパワーを持つ第５レンズ群Ｌ５より構成されている。第２レンズ群Ｌ２と、第３レンズ群Ｌ３の間に可変絞りＳＰが配置され、その直後の第３レンズ群Ｌ３の一番物体側のレンズが物体側のレンズ面に回折格子を設けた光学素子Ｄである。
【００５６】
図６は図５のズームレンズの絞りＳＰをＦ２２に絞った時の光路図である。絞りＳＰ近傍に光学素子Ｄを配置しているために、絞りＳＰを絞ったときは全光束が屈折領域Ｂを通過している。
【００５７】
図７は本発明の光学素子を有する光学系の実施形態３の要部断面図である。
【００５８】
図７に示す光学系は４００ｍｍ／Ｆ４．０の望遠レンズである。平行平板の一面に回折格子を設けた光学素子Ｄを物体側に配置している。絞りＳＰを光学系の一番像面側に近いところに配置しているため、光学素子Ｄ上において軸上光束と、軸外光束（最大像高）の通過する位置が大きくずれている。
【００５９】
図８は図７において最大像高の７割の像高に入射する光束を示した光路図である。この図８において少なくとも最大像高の７割の像高に入射する光束の絞りＳＰ中心を通過する光線は光学素子Ｄの屈折領域Ｂを通過している。最小絞りでの撮影時には撮影画面の大部分の光束が屈折領域Ｂを通るため、回折格子によるフレアの発生が少ない。
【００６０】
図９は本発明の光学素子を有する光学系の実施形態４の要部断面図である。
【００６１】
図９に示す光学系は、２４ｍｍ／Ｆ１．４の広角レンズである。
【００６２】
像面から見て２番目のレンズがその像側の面に回折格子を設けた光学素子Ｄである。回折格子と絞りＳＰとの距離が若干離れている為と、広角レンズであるために、光学素子Ｄの回折面での各画角の光束は分離している。
【００６３】
図１０は図９において絞りをＦ８．０に絞った時の最大像高の７割の像高に入射する光束を示したレンズ光路図である。この実施形態においても、少なくとも最大像高の７割の像高に入射する光束の絞り中心を通過する光線は光学素子Ｄの屈折領域Ｂを通過しており、また、ＦナンバーＦ８．０の光束のほとんどが屈折領域Ｂを通過している。
【００６４】
そのため、回折格子によるフレアの発生が少ない。
【００６５】
以上説明したように、各実施形態によれば、回折格子を設けた光学素子と屈折素子を組み合わせて色消しを行った光学系において、特に寄生回折光のフレアが気になるシーンでの撮影時に、絞りを絞ることでのフレアの発生を押さえ、良好な画質が得られる。
【００６６】
【発明の効果】
本発明によれば、色収差を補正する為に回折格子を用いたとき、格子部の非回折面から生ずるフレアーの影響が少なくし、高画質の画像が得られる光学系を達成することができる。
【図面の簡単な説明】
【図１】本発明に係る光学素子の要部概略図
【図２】非回折面で発生するフレア光の様子を示した図。
【図３】本発明の実施形態１の光学系の断面図と絞り開放光線の様子を示した図。
【図４】本発明の実施形態１の光学系の断面図と絞りＦ８．０の時の光路図。
【図５】本発明の実施形態２の光学系の断面図と絞り開放光線の様子を示した図。
【図６】本発明の実施形態２の光学系の断面図と絞りＦ２２．０の時の光路図。
【図７】本発明の実施形態３の光学系の断面図と絞り開放光線（軸上、最大画角）の様子を示した図。
【図８】本発明の実施形態３の光学系の断面図と絞り開放光線（軸上、最大画角の７割の画角）の様子を示した図。
【図９】本発明の実施形態４の光学系の断面図と絞り開放光線（軸上、最大画角の７割の画角）の様子を示した図。
【図１０】本発明の実施形態４の光学系の断面図と絞りＦ８．０の時の光線（軸上、最大画角の７割の画角）の様子を示した図。
【符号の説明】
Ｄ．光学素子
１．回折格子
１ａ．回折部
１ｂ非回折面
２．レンズ
Ａ．回折領域
Ｂ．屈折領域
ＳＰ．可変絞り
ＩＰ．像面
【図１】
2005062224.tif 000003
【図２】
2005062224.tif 000004
【図３】
2005062224.tif 000005
【図４】
2005062224.tif 000006
【図５】
2005062224.tif 000007
【図６】
2005062224.tif 000008
【図７】
2005062224.tif 000009
【図８】
2005062224.tif 000010
【図９】
2005062224.tif 000011
【図１０】
2005062224.tif 000012